(57)【特許請求の範囲】
【請求項１】
画像形成装置筐体の容器受部に対し挿入離脱され且つ現像剤が収容される現像剤収容容器であって、
現像剤が収容される容器本体と、
前記容器本体の一部に開設される開口と、
前記開口を塞ぐ開閉蓋と、
前記開口が開放される開放位置及び前記開口が閉鎖される閉鎖位置との間で前記開閉蓋を前記現像剤収容容器の挿入方向および離脱方向に沿って移動可能に保持する蓋保持枠と、
前記容器本体のうち、前記閉鎖位置に位置した前記開閉蓋に対し前記挿入方向の上流側に設けられ、前記開閉蓋が前記閉鎖位置に位置した状態で前記開閉蓋が前記開放位置に向かって移動するのをせき止めるせき止め部と、
前記容器本体の一部に設けられ、前記容器受部に前記現像剤収容容器が挿入されることにより、前記容器受部に設けられた引掛り部が前記閉鎖位置に位置した前記開閉蓋よりも前記挿入方向の下流側に位置する状態から上流側に位置する状態になった際に、前記引掛り部に接触する接触部と、
前記容器本体の一部に設けられ、前記接触部が前記引掛り部に接触することで前記せき止め部が変形させられて前記せき止め部による前記開閉蓋のせき止めを解除する変形部と、
を備えたことを特徴とする現像剤収容容器。
【請求項２】
請求項１記載の現像剤収容容器において、
前記せき止め部及び前記接触部は、共通な前記変形部に設けられていることを特徴とする現像剤収容容器。
【請求項３】
請求項１又は２記載の現像剤収容容器において、
前記変形部は、前記容器本体の一部に切り込みを介して変形可能な板片であることを特徴とする現像剤収容容器。
【請求項４】
請求項１ないし３いずれかに記載の現像剤収容容器において、
前記せき止め部及び前記接触部は別々に設けられることを特徴とする現像剤収容容器。
【請求項５】
請求項１ないし４いずれかに記載の現像剤収容容器において、
前記せき止め部は前記接触部よりも低く設けられ、前記接触部が前記引掛り部に接触することで前記変形部が変形したとき、前記せき止め部と前記開閉蓋とが非接触配置されることを特徴とする現像剤収容容器。
【請求項６】
容器受部が形成された画像形成装置筐体と、前記画像形成装置筐体の容器受部に対し挿入離脱され且つ現像剤が収容される現像剤収容容器とを備えた画像形成装置であって、
前記現像剤収容容器は、現像剤が収容される容器本体と、
前記容器本体の一部に開設される開口と、
前記開口を塞ぐ開閉蓋と、
前記開口が開放される開放位置及び前記開口が閉鎖される閉鎖位置との間で前記開閉蓋を前記現像剤収容容器の挿入方向および離脱方向に沿って移動可能に保持する蓋保持枠と、
前記容器本体のうち、前記閉鎖位置に位置した前記開閉蓋に対し前記挿入方向の上流側に設けられ、前記開閉蓋が前記閉鎖位置に位置した状態で前記開閉蓋が前記開放位置に向かって移動するのをせき止めるせき止め部と、
前記容器本体の一部に設けられ、前記容器受部に前記現像剤収容容器が挿入されることにより、前記容器受部に設けられた引掛り部が前記閉鎖位置に位置した前記開閉蓋よりも前記挿入方向の下流側に位置する状態から上流側に位置する状態になった際に、前記引掛り部に接触する接触部と、
前記容器本体の一部に設けられ、前記接触部が前記引掛り部に接触することで前記せき止め部が変形させられて前記せき止め部による前記開閉蓋のせき止めを解除する変形部と、を備え、
前記容器受部は、前記現像剤収容容器の前記開閉蓋の移動軌跡を案内する蓋案内部材と、
前記現像剤収容容器を挿入したときに前記接触部に接触し、前記変形部を変形させる引掛り部と、
前記現像剤収容容器を挿入完了する際に前記開閉蓋に当接して前記開閉蓋を開放位置に向けて移動させた後に保持する蓋開放保持手段と、
前記現像剤収容容器を離脱する際に前記開閉蓋が閉鎖位置に到達した時点で前記蓋開放保持手段による保持状態を解除する蓋保持解除手段と、を備えたことを特徴とする画像形成装置。
【発明の詳細な説明】
【技術分野】
【０００１】
本発明は、現像剤収容容器及びこれを用いた画像形成装置に関する。
【背景技術】
【０００２】
従来この種の現像剤収容容器としては例えば特許文献１，２記載のものが既に知られている。
特許文献１は、トナー供給口の内外にシャッタ部材を設けてトナー供給口の厚み部分に存在するトナーをも規制するものである。
特許文献２は、トナーカートリッジの離脱動作に伴って補給口シャッタが閉塞位置に移動してから、カートリッジ側係合部材との係合が解除されるシャッタ側係合部材とを備えたものである。
【先行技術文献】
【特許文献】
【０００３】
【特許文献１】特開平１１−６５２４６号公報(実施例，図１)
【特許文献２】特開２００５−１３４４５２号公報(発明を実施するための最良の形態図９)
【発明の概要】
【発明が解決しようとする課題】
【０００４】
本発明は、画像形成装置に装着される前の開閉蓋の誤開放を防止し、画像形成装置に装着する際の開閉蓋の開放動作を安定させることが可能な現像剤収容容器及びこれを用いた画像形成装置を提供するものである。
【課題を解決するための手段】
【０００５】
請求項１に係る発明は、画像形成装置筐体の容器受部に対し挿入離脱され且つ現像剤が収容される現像剤収容容器であって、現像剤が収容される容器本体と、前記容器本体の一部に開設される開口と、前記開口を塞ぐ開閉蓋と、前記開口が開放される開放位置及び前記開口が閉鎖される閉鎖位置との間で前記開閉蓋を前記現像剤収容容器の挿入方向および離脱方向に沿って移動可能に保持する蓋保持枠と、前記容器本体のうち、前記閉鎖位置に位置した前記開閉蓋に対し前記挿入方向の上流側に設けられ、前記開閉蓋が前記閉鎖位置に位置した状態で前記開閉蓋が前記開放位置に向かって移動するのをせき止めるせき止め部と、前記容器本体の一部に設けられ、前記容器受部に前記現像剤収容容器が挿入されることにより、前記容器受部に設けられた引掛り部が前記閉鎖位置に位置した前記開閉蓋よりも前記挿入方向の下流側に位置する状態から上流側に位置する状態になった際に、前記引掛け部に接触する接触部と、前記容器本体の一部に設けられ、前記接触部が前記引掛り部に接触することで前記せき止め部が変形させられて前記せき止め部による前記開閉蓋のせき止めを解除する変形部と、を備えたことを特徴とする現像剤収容容器である。
請求項２に係る発明は、請求項１に係る現像剤収容容器において、前記せき止め部及び前記接触部は、共通な前記変形部に設けられていることを特徴とする現像剤収容容器である。
請求項３に係る発明は、請求項１又は２に係る現像剤収容容器において、前記変形部は、前記容器本体の一部に切り込みを介して変形可能な板片であることを特徴とする現像剤収容容器である。
請求項４に係る発明は、請求項１ないし３いずれかに係る現像剤収容容器において、前記せき止め部及び前記接触部は別々に設けられることを特徴とする現像剤収容容器である。
請求項５に係る発明は、請求項１ないし４いずれかに係る現像剤収容容器において、前記せき止め部は前記接触部よりも低く設けられ、前記接触部が前記引掛り部に接触することで前記変形部が変形したとき、前記せき止め部と前記開閉蓋とが非接触配置されることを特徴とする現像剤収容容器である。
請求項６に係る発明は、容器受部が形成された画像形成装置筐体と、前記画像形成装置筐体の容器受部に対し挿入離脱され且つ現像剤が収容される現像剤収容容器とを備えた画像形成装置であって、前記現像剤収容容器は、現像剤が収容される容器本体と、前記容器本体の一部に開設される開口と、前記開口を塞ぐ開閉蓋と、前記開口が開放される開放位置及び前記開口が閉鎖される閉鎖位置との間で前記開閉蓋を前記現像剤収容容器の挿入方向および離脱方向に沿って移動可能に保持する蓋保持枠と、前記容器本体のうち、前記閉鎖位置に位置した前記開閉蓋に対し前記挿入方向の上流側に設けられ、前記開閉蓋が前記閉鎖位置に位置した状態で前記開閉蓋が前記開放位置に向かって移動するのをせき止めるせき止め部と、前記容器本体の一部に設けられ、前記容器受部に前記現像剤収容容器が挿入されることにより、前記容器受部に設けられた引掛り部が前記閉鎖位置に位置した前記開閉蓋よりも前記挿入方向の下流側に位置する状態から上流側に位置する状態になった際に、前記引掛り部に接触する接触部と、前記容器本体の一部に設けられ、前記接触部が前記引っ掛け部に接触することで前記せき止め部が変形させられて前記せき止め部による前記開閉蓋のせき止めを解除する変形部と、を備え、前記容器受部は、前記現像剤収容容器の前記開閉蓋の移動軌跡を案内する蓋案内部材と、前記現像剤収容容器を挿入したときに前記接触部に接触し、前記変形部を変形させる引掛り部と、前記現像剤収容容器を挿入完了する際に前記開閉蓋に当接して前記開閉蓋を開放位置に向けて移動させた後に保持する蓋開放保持手段と、前記現像剤収容容器を離脱する際に前記開閉蓋が閉鎖位置に到達した時点で前記蓋開放保持手段による保持状態を解除する蓋保持解除手段と、を備えたことを特徴とする画像形成装置である。
【発明の効果】
【０００６】
請求項１に係る発明によれば、画像形成装置に装着される前の開閉蓋の誤開放を防止し、画像形成装置に装着する際の開閉蓋の開放動作を安定させることができる。
請求項２に係る発明によれば、せき止め部、接触部及び変形部を狭い領域に容易に構築することができる。
請求項３に係る発明によれば、変形部を簡単に構築することができる。
請求項４に係る発明によれば、せき止め部、接触部の各機能を容易に具現化することができる。
請求項５に係る発明によれば、画像形成装置筐体の容器受部に現像剤収容容器を挿入する際に、せき止め部による開閉蓋のせき止め動作を確実に解除することができる。
請求項６に係る発明によれば、現像剤収容容器につき、画像形成装置に装着される前の開閉蓋の誤開放を防止し、画像形成装置に装着する際の開閉蓋の開放動作を安定させることが可能な画像形成装置を構築することができる。
【図面の簡単な説明】
【０００７】
【図１】(ａ)は本発明が適用された現像剤収容容器の実施の形態の概要を示す説明図、(ｂ)は(ａ)に示す態様で、容器受部に現像剤収容容器を挿入したときの挙動を模式的に示す説明図である。
【図２】実施の形態１に係る画像形成装置の全体構成を示す説明図である。
【図３】本実施の形態で用いられる作像エンジンの一例を示す説明図である。
【図４】本実施の形態で用いられるトナー補給装置の一例を示す説明図である。
【図５】実施の形態１で用いられる現像剤収容容器の外観を示す説明図である。
【図６】図６中ＶＩ方向から見た矢視図である。
【図７】実施の形態１で示す画像形成装置筐体の容器受部を示す説明図である。
【図８】図５に示す容器受部の詳細を示す説明図である。
【図９】図８中背面方向から見た矢視図である。
【図１０】容器受部側の開閉機構につき、(ａ)は閉じた状態を示す平面説明図、(ｂ)は開いた状態を示す平面説明図である。
【図１１】現像剤収容容器のシャッタ部の拡大説明図である。
【図１２】(ａ)は実施の形態１において、容器受部に対して現像剤収容容器を挿入する最初の動作過程(１)を示す説明図、(ｂ)は次の動作過程(２)を示す説明図である。
【図１３】(ａ)は実施の形態１において、容器受部に対して現像剤収容容器を挿入する次の動作過程(３)を示す説明図、(ｂ)は次の動作過程(４)を示す説明図である。
【図１４】(ａ)は実施の形態１において、容器受部に対して現像剤収容容器を挿入する次の動作過程(５)を示す説明図、(ｂ)は容器受部に対して現像剤収容容器が挿入装着された動作過程(６)を示す説明図である。
【図１５】実施の形態２に係る現像剤収容容器につき、(ａ)は容器受部に対して現像剤収容容器を挿入する最初の動作過程(１)を示す説明図、(ｂ)は次の動作過程(２)を示す説明図である。
【図１６】実施の形態２に係る現像剤収容容器につき、(ａ)は容器受部に対して現像剤収容容器を挿入する次の動作過程(３)を示す説明図、(ｂ)は次の動作過程(４)を示す説明図、(ｃ)は容器受部に対して現像剤収容容器が挿入装着された動作過程(５)を示す説明図である。
【図１７】(ａ)は図１５(ａ)中Ａ方向から見た矢視図、(ｂ)は図１６(ａ)中Ｂ方向から見た矢視図、(ｃ)は図１６(ｃ)中Ｃ方向から見た矢視図である。
【発明を実施するための形態】
【０００８】
◎実施の形態の概要
図１(ａ)は本発明が適用された現像剤収容容器の実施の形態の概要を模式的に示す説明図、(ｂ)は容器受部に現像剤収容容器を挿入する動作過程を示す説明図である。
同図において、現像剤収容容器は、画像形成装置筐体１の容器受部２に対し挿入離脱され且つ現像剤が収容される現像剤収容容器１１であって、現像剤が収容される容器本体３と、容器本体３の一部に開設される開口４と、開口４を塞ぐ開閉蓋５と、開口４が開放される開放位置及び開口４が閉鎖される閉鎖位置との間で開閉蓋５を現像剤収容容器１１の挿入方向および離脱方向に沿って移動可能に保持する蓋保持枠６と、容器本体３のうち、閉鎖位置に位置した開閉蓋５に対し挿入方向の上流側に設けられ、開閉蓋５が閉鎖位置に位置した状態で開閉蓋５が開放位置に向かって移動するのをせき止めるせき止め部７と、容器本体３の一部に設けられ、前記容器受部２に現像剤収容容器１１が挿入されることにより、容器受部２に設けられた引掛り部１０が閉鎖位置に位置した開閉蓋５よりも挿入方向の下流側に位置する状態から上流側に位置する状態になった際に、引掛り部１０に接触する接触部８と、容器本体３の一部に設けられ、接触部８が引掛り部１０に接触することでせき止め部７が変形させられてせき止め部７による開閉蓋５のせき止めを解除する変形部９と、を備えたものである。
【０００９】
このような技術的手段において、せき止め部７は現像剤収容容器１１を未装着のときに、開閉蓋５が開放することをせき止める働きをするものであれば適宜選定して差し支えない。また、接触部８は、現像剤収容容器１１挿入時に容器受部２の引掛り部１０に接触することを要する。更に、変形部９は、現像剤収容容器１１挿入時に容器受部２の引掛り部１０に接触することでせき止め部７を変形させ、せき止め部７によるせき止め位置、せき止め解除位置との間でせき止め部７を移動させるようにすればよい。
また、現像剤収容容器１１の代表的態様又は好ましい態様は以下の通りである。
変形部９の代表的な態様としては、せき止め部７及び接触部８は共通な変形部９に設けられている態様が挙げられる。
更に、変形部９の代表的な態様としては、変形部９は、容器本体３の一部に切り込み９ａを介して変形可能な板片である態様が挙げられる。
更にまた、せき止め部７と接触部８との関係については、両者は別々に設けられてもよいし、あるいは、兼用して設けるようにしてもよい。このとき、好ましい態様としては、せき止め部７は前記接触部８よりも低く設けられ、接触部８が容器受部２の引掛り部１０に接触することで変形部９が変形したとき、せき止め部７と開閉蓋５とが非接触配置される態様がある。
また、本実施の形態では、現像剤収容容器１１のみならず、容器受部２が形成された画像形成装置筐体１と、この画像形成装置筐体１の容器受部２に対し挿入離脱され且つ現像剤が収容される現像剤収容容器１１とを備えた画像形成装置にも適用される。
この態様では、現像剤収容容器１１は、上述した容器本体３、開口４、開閉蓋５、蓋無保持枠６、せき止め部７、接触部８及び変形部９を備えていればよく、一方、画像形成装置筐体１の容器受部２としては、前記現像剤収容容器１１の開閉蓋５の移動軌跡を案内する蓋案内部材(図示せず)と、現像剤収容容器１１を挿入したときに前記接触部８に接触し、前記変形部を変形させる引掛け部１０と、現像剤収容容器１１を挿入完了する際に前記開閉蓋５に当接して前記開閉蓋５を開放位置に向けて移動させた後に保持する蓋開放保持手段(図示せず)と、現像剤収容容器１１を離脱する際に開閉蓋５が閉鎖位置に到達した時点で蓋開放保持手段による保持状態を解除する蓋保持解除手段(図示せず)と、を有するようにすればよい。
【００１０】
以下添付図面に示す実施の形態に基づいて本発明をより詳細に説明する。
◎実施の形態１
＜画像形成装置の全体構成＞
図２は本発明が適用された実施の形態１の画像形成装置の全体構成を示す説明図である。
同図において、画像形成装置２０は、装置筐体２１内に電子写真方式の作像エンジン２２を搭載し、この作像エンジン２２の下方には複数の用紙供給装置２３(具体的には２３ａ〜２３ｃ)を設け、この用紙供給装置２３から供給される用紙を用紙搬送路２４を経て作像エンジン２２に導き、作像エンジン２２にて作成された画像を用紙Ｓに転写した後に定着装置２５にて定着し、例えば装置筐体２１の側方に設けられた用紙排出受け２６に排出するようにしたものである。
更に、本例では、画像形成装置２０は、装置筐体２１の上部にスキャナ等の原稿読取装置２７を搭載し、この原稿読取装置２７には自動原稿供給装置２８が付加されている。
また、用紙搬送路２４は、用紙供給装置２３から供給される用紙を作像エンジン２２に導き、定着装置２５を経て用紙排出受け２６に搬送する主搬送路２４１と、この主搬送路２４１のうち定着装置２５の下流側にて用紙を反転搬送させる略Ｙ字状の反転搬送路２４２と、用紙Ｓ両面に対して記録することを可能にするために前記反転搬送路２４２を経由して用紙Ｓを反転させた状態で主搬送路２４１に戻す用紙戻し搬送路２４３とを有している。尚、用紙搬送路２４中には適宜数の搬送ロール２４４や搬送ベルト２４５等の搬送部材が設置されている。
【００１１】
＜作像エンジン＞
また、本実施の形態において、作像エンジン２２は、図２及び図３に示すように、各色成分(例えばイエロ(Ｙ)、マゼンタ(Ｍ)、シアン(Ｃ)、ブラック(Ｋ))の画像が形成可能な複数の画像形成部３０(具体的には３０ａ〜３０ｄ)を有し、この画像形成部３０にて形成された粉体としてのトナーによる画像をベルト状の中間転写体４０を介して用紙に転写し、定着装置２５にて用紙Ｐに対しトナー画像を定着するものである。
ここで、各画像形成部３０は、像保持体としての感光体３１と、この感光体３１を帯電する帯電装置３２と、この帯電装置３２にて帯電された感光体３１に対し光にて潜像を書き込むレーザ走査装置等の潜像書込装置３３(具体的には３３ａ〜３３ｄ)と、感光体３１上に書き込まれた潜像を対応する色トナーにて現像する現像装置３４と、感光体３１上に残留する残留物（例えば現像装置３４にて現像されるトナーの残留物など）を清掃する清掃装置３５とを備えている。
一方、ベルト状の中間転写体４０は複数の張架ロール４１〜４５を用いて張架され、例えば張架ロール４１を駆動ロールとして循環回転するようになっている。そして、この中間転写体４０は、各画像形成部３０の感光体３１に対向する裏面に一次転写装置(例えば一次転写ロール)５１を有し、また、用紙搬送路２４の主搬送路２４１に対応した部位には二次転写装置５２を有している。この二次転写装置５２は例えば中間転写体４０の表面に二次転写ロール５３を接触配置すると共に、この二次転写ロール５３に対向する中間転写体４０の裏面に位置する張架ロール４４を対向ロール（バックアップロール）５４とし、二次転写ロール５３及び対向ロール５４の一方に二次転写バイアスを印加すると共に他方を接地するようにしたものである。
更に、中間転写体４０の例えば張架ロール４１に対向する部位には清掃装置５５が設けられている。
【００１２】
＜トナー補給装置＞
また、本実施の形態では、粉体としての各色成分トナーを補給するトナー補給装置６０が設けられている。
このトナー補給装置６０(具体的には６０ａ〜６０ｄ)は、図４に示すように、内部に粉体としてのトナーを収容する収容容器であるトナーカートリッジ６１(具体的には６１ａ〜６１ｄ)と、前記トナーカートリッジ６１が装着されるカートリッジ受部６２(具体的には６２ａ〜６２ｄ)と、各画像形成部３０の現像装置３４(具体的には３４ａ〜３４ｄ)とカートリッジ受部６２とを接続する接続配管６５(具体的には６５ａ〜６５ｄ)とを有している。
特に、カートリッジ受部６２は、トナーカートリッジ６１から供給されたトナーを一時的に貯留するリザーブタンク６３を有し、このリザーブタンク６３と前記接続配管６５との間に粉体搬送装置６４(具体的には６４ａ〜６４ｄ)を介在させたものである。
尚、本例では、トナーカートリッジ６１ｄは二室構成になっており、他の色トナーに比べて収容容量が予め多くなるように、使用頻度の高いブラックトナーを収容したものである。
【００１３】
＜トナーカートリッジ＞
トナーカートリッジ６１は、図５及び６に示すように、容器本体１００の一側面の手前寄りにシャッタ１１０(開口する蓋保持枠に対して開閉蓋を開閉可能に設けた態様)を設け、容器本体１００のシャッタ１１０寄りの端部には挿入離脱操作時に容器本体１００を把持するための把持部としてのハンドル１２０が設けられている。
＜カートリッジ受部＞
本実施の形態では、図７に示すように、カートリッジ受部６２(６２ａ〜６２ｄ)は、トナーカートリッジ６１(６１ａ〜６１ｄ)を案内する案内レール７０を有し、奥側にはトナーカートリッジ６１内に組み込まれる撹拌部材としてのアジテータの端部と係わり合ってアジテータに対し回転駆動力が与えられる接合継ぎ手７２を設けると共に、トナーカートリッジ６１の手前側にはトナーカートリッジ６１のシャッタと係わり合う支持ボックス７３を設けたものである。
ここで、支持ボックス７３は、各トナーカートリッジ６１が挿入される挿入口７４を有し、この挿入口７４の底部にはトナーカートリッジ６１のシャッタ１１０と係わり合う開閉機構７５が設けられており、また、挿入口７４の入口側縁部には段差部からなる引っ掛け部７６が形成されている。
そして、開閉機構７５は、図１０(ａ)(ｂ)に示すように、トナーカートリッジ６１側のシャッタ１１０が開閉機構７５の蓋部材７７にあたると、蓋部材７７を押しやり、蓋保持枠７８の開口７９を開放するようになっている。
尚、開閉機構７５の蓋部材７７のエッジがシャッタ１１０との突き当て面になっている。
【００１４】
＜トナーカートリッジのシャッタ周辺構造＞
図１１はトナーカートリッジのシャッタ周辺構造を示す。
同図において、シャッタ１１０は像保持枠１１１に対して摺動する開閉蓋１１２を有するもので、開閉蓋１１２のエッジ部をハンドル１２０に面した位置に配置したものである。そして、ハンドル１２０のエッジ部に対して一対の切り込み１２１を設け、切り込み１２１で挟んだ板材を弾性変形可能な変形板１２２とし、この変形板１２２にはシャッタ１１０の開閉蓋１１２の端部に対向するせき止め部としてのストッパ壁１３０が設けられ、このストッパ壁１３０は開閉蓋１１２の先端が当接する鉛直方向の面を有している。
一方、変形板１２２のうち前記開閉蓋１１２が面していない部位には前述した引っ掛け部７６に接触する接触片１４０が設けられている。この接触片１４０は、ストッパ壁１３０と異なり、開閉蓋１１２に対し端部に向かって斜め上方に傾斜する傾斜面１４１を有しており、また、ストッパ壁１３０の高さよりも厚い高さを有している。
【００１５】
次に、本実施の形態に係るトナーカートリッジの装着作業について説明する。
今、図１２(ａ)に示すように、カートリッジ受部の案内レール７０に沿ってトナーカートリッジ６１を挿入していくと、トナーカートリッジ６１のシャッタ１１０は未だシャッ
タ突き当て面１６０(開閉蓋１１２の先端に相当)に到達しておらず、また、接触片１４０も引っ掛け部７６と当接していない。
この後、図１２(ｂ)に示すように、更に、トナーカートリッジ６１を容器受部へ挿入していくと、シャッタ１１０はシャッタ突き当て面１６０に当たる直線の位置に達し、接触片１４０も引っ掛け部７６に当接していない。
この後、図１３(ａ)に示すように、シャッタ突き当て面１６０にシャッタ１１０が到達し、接触片１４０が引っ掛け部７６に乗り上げ、変形板１２２が変形する。この変形板１２２の変形に伴ってストッパ壁１３０も変形し、このストッパ壁１３０端部がシャッタ１１０とは非接触と位置関係に至る。
この後、シャッタ１１０はカートリッジ受部の開閉機構７５のセット位置で保持され、トナーカートリッジ６１が更に押し込まれることで、シャッタ１１０が開く。
この後、図１４(ａ)に示すように、更に、トナーカートリッジ６１が装置内へと押し込まれ、図１４(ｂ)に示すカートリッジ完了位置にてトナーカートリッジ６１の挿入操作が完了する。
尚、トナーカートリッジ６１を取り外す場合には、装着作業と逆操作過程を経ればよい。
【００１６】
◎実施の形態２
図１５(ａ)は実施の形態２に係る現像剤収容容器(トナーカートリッジ)を示す。
本実施の形態では、トナーカートリッジのシャッタ周辺構造が実施の形態１と異なるものになっている。
つまり、本例では、トナーカートリッジ６１のハンドル１２０には、実施の形態１と同様な変形板(図示せず)が設けられ、この変形板にはストッパ接触片１５０(ストッパ壁１３０＋接触片１４０の両機能を具現化したもの)が設けられている。このストッパ接触片１５０は、シャッタ１１０に当接する鉛直面からなるストッパ壁１５１を有し、このストッパ壁１５１に連接した部位には接触傾斜面１５２を設けるようにしたのである。
尚、カートリッジ受部には、シャッタ１１０が当接するシャッタ突き当て面７７ａが設けられ、また、前記ストッパ接触片１５０の接触傾斜面１５２が接触する引っ掛け部７６が設けられている、本例では、引っ掛け部７６の先端にも接触傾斜面１５２に対応した傾斜面７６ａが形成されている。
【００１７】
次に、本実施の形態でのトナーカートリッジの装着作業について説明する。
図１５(ａ)及び図１７(ａ)において、トナーカートリッジ６１が未装着の場合には、シャッタ１１０がストッパ接触片１５０のストッパ壁１５１にせき止められ、シャッタ１１０は開かない状態に保たれる。
次いで、図１５(ｂ)に示すように、カートリッジ受部にトナーカートリッジ６１を挿入していくと、ストッパ接触片１５０の接触傾斜面１５２が引っ掛け部７６に接触し、その後、ストッパ接触片１５０が引っ掛け部７６の上に乗り上げていく。
具体的には、図１５(ｂ)に示すように、ストッパ壁１５１の高さをｂ、引っ掛け部７６とに係わる接触傾斜面１５２の高さをａとすれば、ａ＞ｂの関係を満たすことになり、この関係を満たせば、ストッパ接触片１５０が引っ掛け部７６に乗り上げた段階で、ストッパ壁１５１が変形板１２２と共にシャッタ１１０に対向する部位から非接触な位置へ退避してしまい、シャッタ１１０に対向した部位にはストッパ接触片１５０の接触傾斜面１５２が配置された状態になっている。
この後、図１６(ａ)及び図１７(ｂ)に示すように、ストッパ接触片１５０が引っ掛け部７６に乗り上げ、更に、トナーカートリッジを押し込むと、シャッタ１１０がシャッタ突き当て面１６０に当たり、シャッタ１１０位置は拘束される。
この状態で、図１６(ｂ)に示すように、更に、トナーカートリッジ６１を押し込むと、シャッタ１１０がストッパ接触片１５０の接触傾斜面１５２に接触し、シャッタ突き当て面１６０で位置拘束されているシャッタ１１０により前記ストッパ接触片１５０が更に変形する。
この後、図１６(ｃ)及び図１７(ｃ)に示すように、更にトナーカートリッジ６１を押し込みと、トナーカートリッジ６１のセットが完了する。
尚、トナーカートリッジ６１を取り外す場合には、装着作業と逆操作過程を経ればよい。
【符号の説明】
【００１８】
１…画像形成装置筐体，２…容器受部，３…容器本体，４…開口，５…開閉蓋，６…蓋保持枠，７…せき止め部，８…接触部，９…変形部，９ａ…切り込み１０…引掛り部，１１…現像剤収容容器
【図１】
0005621360.tif 000002
【図２】
0005621360.tif 000003
【図３】
0005621360.tif 000004
【図４】
0005621360.tif 000005
【図５】
0005621360.tif 000006
【図６】
0005621360.tif 000007
【図７】
0005621360.tif 000008
【図８】
0005621360.tif 000009
【図９】
0005621360.tif 000010
【図１０】
0005621360.tif 000011
【図１１】
0005621360.tif 000012
【図１２】
0005621360.tif 000013
【図１３】
0005621360.tif 000014
【図１４】
0005621360.tif 000015
【図１５】
0005621360.tif 000016
【図１６】
0005621360.tif 000017
【図１７】
0005621360.tif 000018